(57)【要約】      （修正有）【課題】板紙によって形成されていても耐荷重性が極めて高く、重量のある被収納物の複数包装に好適に採用することができる紙製キャリングケースを提供する。【解決手段】四角筒状の胴部と、胴部の下端を閉塞する底部６１と、胴部の上部に跨る取っ手部とを備える紙製キャリングケースを板紙によって形成する。各側板８，９，１０，１１の下端縁に底フラップ５４，５６，５８，６０を連設して底部６１を形成する。各底フラップは、各側板から水平方向内側に延びて隣接する底フラップ同士が互いに重合すると共に、一方に隣接する底フラップ同士が互いに接着される。底フラップ５４，５６の内面側に重合する底フラップ５８は、胴部の底部形状に略対応する形状を有して胴部の内側から底部６１の略全体を覆う。【選択図】図３
0003129447.tif 000002
【実用新案登録請求の範囲】
【請求項１】
板紙によって形成され、互いに一対ずつ対向する４枚の側板により四角筒状に形成された胴部と、該胴部の下端を閉塞する底部と、前記胴部の開放された上部を跨って一方向に対向する両側板に連設された取っ手部とを備え、複数の被収納物を収容した状態で持ち運び自在とされた紙製キャリングケースにおいて、
前記底部は、各側板の下端縁に折目線を介して連設された底フラップを備え、各底フラップは、各側板から水平方向内側に延びて隣接する底フラップ同士が互いに重合すると共に、一方に隣接する底フラップ同士が互いに接着され、少なくとも何れか二つの底フラップの内面側に重合する一つの底フラップは、前記胴部の底部形状に略対応する形状を有して胴部の内側から底部の略全体を覆うことを特徴とする紙製キャリングケース。
【請求項２】
前記取っ手部は、手指を貫通して把持可能とする取っ手穴を有し、該取っ手穴は、下方に向かって次第に拡開する形状に形成され、該取っ手穴の縦方向に延びる内縁と横方向に延びる内縁とが交わる部分が円弧状に連続して形成されていることを特徴とする請求項１記載の紙製キャリングケース。
【請求項３】
前記板紙は、Ｇフルートの薄手段ボール板紙であることを特徴とする請求項１又は２記載の紙製キャリングケース。
【考案の詳細な説明】
【技術分野】
【０００１】
本考案は、複数の被収納物を収容した状態で持ち運び自在とされた紙製キャリングケースに関する。
【背景技術】
【０００２】
従来、飲料入り瓶体や缶体等の被収納物を複数配列させて包装して手軽に持ち運べるようにした紙製キャリングケースが知られている。この種の紙製キャリングケースは、複数の被収納物を収容する有底の四角筒状の胴部と、胴部の上部に設けられた取っ手部とを備えている。そして、この種の紙製キャリングケースは、板紙によって形成されていることによって、軽量で安価であるだけでなく、使用後のリサイクルや焼却処理が容易であるという利点がある。
【０００３】
しかしその反面、紙製キャリングケースは、板紙によって形成されているために全体が歪み易く、特に、重量のある被収納物を複数包装して持ち運んだ場合には、底部の抜け落ちや、取っ手部の破損が生じるおそれがある。そのため、板紙によって形成されたキャリングケースにおいては、例えば、内容量が大きく大型の飲料入り瓶体や缶体等の重量のある被収納物を包装して持ち運ぶことができない不都合があった。
【考案の開示】
【考案が解決しようとする課題】
【０００４】
かかる不都合を解消して、本考案は、板紙によって形成されていても耐荷重性が極めて高く、重量のある被収納物の複数包装に好適に採用することができる紙製キャリングケースを提供することを目的とする。
【課題を解決するための手段】
【０００５】
かかる目的を達成するために、本考案は、板紙によって形成され、互いに一対ずつ対向する４枚の側板により四角筒状に形成された胴部と、該胴部の下端を閉塞する底部と、前記胴部の開放された上部を跨って一方向に対向する両側板に連設された取っ手部とを備え、複数の被収納物を収容した状態で持ち運び自在とされた紙製キャリングケースにおいて、前記底部は、各側板の下端縁に折目線を介して連設された底フラップを備え、各底フラップは、各側板から水平方向内側に延びて隣接する底フラップ同士が互いに重合すると共に、一方に隣接する底フラップ同士が互いに接着され、少なくとも何れか二つの底フラップの内面側に重合する一つの底フラップは、前記胴部の底部形状に略対応する形状を有して胴部の内側から底部の略全体を覆うことを特徴とする。
【０００６】
また、本考案において、前記取っ手部は、手指を貫通して把持可能とする取っ手穴を有し、該取っ手穴は、下方に向かって次第に拡開する形状に形成され、該取っ手穴の縦方向に延びる内縁と横方向に延びる内縁とが交わる部分が円弧状に連続して形成されていることを特徴とする。
【０００７】
更に、本考案の紙製キャリングケースを形成するための前記板紙は、前記板紙は、Ｇフルートの薄手段ボール板紙であることが好ましい。
【考案の効果】
【０００８】
本考案によれば、前記底部を構成する各底フラップは、各側板から水平方向内側に延びて隣接する底フラップ同士が互いに重合すると共に、一方に隣接する底フラップ同士が互いに接着される。このとき、接着部分を各底フラップの一側縁近傍に設けると共に、該接着部分に沿って傾斜する折目線を設けておくことで、胴部を扁平に折り畳んだ時に同時に各底フラップが接着状態を維持して胴部内に収容されるので、使用の前後に胴部を折畳自在とする所謂ボトムロック式の底部を構成することができ、未使用時の保管等に有利となる。
【０００９】
そして、底部を形成した状態で、少なくとも何れか二つの底フラップの内面側に重合する一つの底フラップが、前記胴部の底部形状に略対応する形状を有して胴部の内側から底部の略全体を覆うので、底部内面が略扁平になると共に、底部の略全体を覆う底フラップの周縁部がその下方にある底フラップの基端部（側板の下縁近傍）で強固に支えられるので、底部の強度が飛躍的に向上し、重量のある被収納物を包装してもその荷重によって底抜けすることのない極めて高い耐荷重性を得ることができる。
【００１０】
また、本考案によれば、前記取っ手部の取っ手穴が、下方に向かって次第に拡開する形状に形成されているので、取っ手穴に手指を通して持ち上げたときに上内縁から取っ手部の上方に向かって付与される引っ張り荷重が拡開された取っ手穴の両側に沿って分散され、取っ手穴の上部に位置する取っ手部の一部が破断するといった事態を防止することができる。しかも、取っ手穴の縦方向に延びる内縁（取っ手穴の上下内縁）と横方向に延びる内縁（取っ手穴の両側内縁）とが交わる部分が円弧状に連続して形成されていることにより、取っ手穴の上内縁から両側内縁に向かって荷重を効率よく分散することができる。これによって、例えば、取っ手穴の上内縁と両側内縁との境界に角部が形成されている場合のような当該角部からの破断が確実に防止でき、取っ手部の強度が飛躍的に向上して、重量のある被収納物を包装してもその荷重によって取っ手部が破断することのない極めて高い耐荷重性を得ることができる。
【００１１】
また、本考案の紙製キャリングケースをＧフルートの薄手段ボール板紙によって形成することにより、Ｇフルート以外の厚手段ボール板紙を用いた場合に比べて前記胴部や各底フラップを折り曲げて形成するときの曲げ歪が小さくなり、組立精度の高い紙製キャリングケースを得ることができる。Ｇフルート（Ｇ段）は、所謂マイクロフルートの一種として、その中芯の段数が１４０〜１８０個／３０cm、中芯の高さが０．６〜０．４mm、紙厚寸法が約０．９mmとされたものであり、曲げこわさが比較的大なる段ボール板紙である。Ｇフルートの段ボール板紙を採用して紙製キャリングケースを形成することで、紙厚寸法が薄くても縦横圧縮強度が高く、しかも重量のある被収納物を保護する高い緩衝性を備えて美粧性にも優れたものとすることができる。
【考案を実施するための最良の形態】
【００１２】
本考案の一実施形態を図面に基づいて説明する。図１は本実施形態の紙製キャリングケースの外観を示す斜視図、図２はその展開図、図３は底部を示す平面図、図４は紙製キャリングケースの底面図、図５は取っ手穴を示す説明図である。
【００１３】
本実施形態の紙製キャリングケース１は、図１に示すように、四角筒状の胴部２と、該胴部２の上方に取っ手部３とを備えている。胴部２は仕切り４によって複数に区画されており、この区画された部分に被収納物を収納する。本実施形態においては、胴部２は、被収納物とする５００mlのポリエチレンテレフタレート製ボトル入り飲料（図示しない）を６本収納するのに適した形状となっている。取っ手部３は、胴部２に被収納物を収納した状態で持ち運び容易とするものであり、手指を掛ける取っ手穴５を備えている。なお、符号６は取っ手穴５に連設された把持補助片であり、取っ手穴５に手指を掛けたときに水平方向に折り曲げて手指に掛かる荷重を軽減するものである。
【００１４】
本実施形態の紙製キャリングケース１は、図２に展開して示すように、Ｇフルート段ボール製の板紙７から組み立てることによって形成される。板紙７は、胴部２を形成するための４つの側板（第１側板８、第２側板９、第３側板１０、第４側板１１）を備えている。第１側板８の一端縁には折目線１２を介して第２側板９が連設され、第２側板９の一端縁には折目線１３を介して第３側板１０が連設され、第３側板１０の一端縁には折目線１４を介して第４側板１１が連設されている。第１側板８の他端縁には折目線１５を介して接着板１６が連設されている。第１側板８、第２側板９、第３側板１０、及び第４側板１１は各折目線１２，１３，１４を介して同一方向に直角に折り曲げた状態で、四角筒状の胴部２（図１参照）を形成する。このとき、接着板１６は第４側板１１の内面側の一部に接着剤を介して接着される。
【００１５】
第１側板８及び接着板１６の上部には第１取っ手板１７が連設されている。第１取っ手板１７には取っ手穴形成部１８が表裏貫通して形成されている。取っ手穴形成部１８には、その上内縁に沿って折目線１９を介して連設されて遊離自在の把持補助片６が連設されている。
【００１６】
第１取っ手板１７の両側には、一対の貼付片２０，２１が夫々折目線２２，２３を介して連設されている。また、第１側板８と第１取っ手板１７との間には２つの仕切り４が形成されている。両仕切り４は、夫々２本の切目線２４，２５，２６，２７によって遊離自在となっており、両仕切り４の一端は折目線２８，２９を介して第１取っ手板１７に連設され、両仕切り４の他端は折目線３０，３１を介して第１側板８に連設されている。また、接着板１６と第１取っ手板１７との間には切目線３２が設けられており、第１側板８とその上方に位置する貼付片２１との間には切目線３３が設けられている。
【００１７】
第２側板９及び第３側板１０の上部には第２取っ手板３４が連設されている。第２取っ手板３４には、第１取っ手板１７の取っ手穴形成部１８と同一形状に開口する取っ手穴形成部３５が表裏貫通して形成されている。第２取っ手板３４の第３側板１０の上方に位置する一側には、貼付片３６が折目線３７を介して連設されている。
【００１８】
また、第３側板１０と第１取っ手板１７との間には２つの仕切り４が形成されている。両仕切り４は、夫々２本の切目線３８，３９，４０，４１によって遊離自在となっており、両仕切り４の一端は折目線４２，４３を介して第２取っ手板３４に連設され、両仕切り４の他端は折目線４４，４５を介して第３側板１０に連設されている。また、第２側板９と第２取っ手板３４との間には切目線４６が設けられている。更に、第２側板９の上方には貼付固定部４７が連設されている。貼付固定部４７の一側縁は折返線４８を介して前記第１取っ手板１７の貼付片２１に連設され、貼付固定部４７の他側縁は折目線４９を介して前記第２取っ手板３４の一側縁に連設されている。第３側板１０とその上方に位置する第２取っ手板３４の貼付片３６との間には切目線５０が設けられている。
【００１９】
第４側板１１の上方には貼付固定部５１が連設されている。貼付固定部５１の一側縁は折返線５２を介して前記第２取っ手板３４の貼付片３６に連設されている。
【００２０】
第１側板８の下縁には折目線５３を介して第１底フラップ５４が連設され、第２側板９の下縁には折目線５５を介して第２底フラップ５６が連設されている。また、第３側板１０の下縁には折目線５７を介して第３底フラップ５８が連設され、第４側板１１の下縁には折目線５９を介して第４底フラップ６０が連設されている。
【００２１】
各底フラップ５４，５６，５８，６０は、胴部２の内方に水平に折り曲げられ、互いに一部を重合させることによって胴部２の下方を閉塞して底部６１（図３及び図４参照）を形成する。このとき、各底フラップ５４，５６，５８，６０は、ボトムロック式と言われる底部構造を形成する。即ち、第１底フラップ５４の上面（内側の面）に第２底フラップ５６の一部が重合されて互いに接着され、第２底フラップ５６の上面（内側の面）側において、第３底フラップ５８の上面（内側の面）に第４底フラップ６０の一部が重合されて互いに接着される。第１底フラップ５４は、その一側に傾斜する折畳線６２と、折畳線６２を介してその外側に第２底フラップ５６が接着される揺動片６３とを備えている。第３底フラップ５８は、その一側に傾斜する折畳線６４と、折畳線６４を介してその外側に第４底フラップ６０が接着される揺動片６５とを備えている。折畳線６２，６４は揺動片６３，６５を揺動自在とするものであり、これによって、胴部２を折り畳んだときに、各底フラップ５４，５６，５８，６０が胴部２の内部に扁平に収納されるようになっている。
【００２２】
また、第３底フラップ５８は、図３に示すように、底部６１の形状に略対応して比較的大きな面積を占めるように形成されており、底部６１を形成したときに、胴部２の内側から底部６１の略全体を覆う。そして、第３底フラップ５８は、図４に示すように、互いに接着された第１底フラップ５４と第２底フラップ５６とによって下方から支えられる。
【００２３】
図２に示す展開状態の板紙から図１に示す紙製キャリングケース１を形成するときには、図２を参照して、第１側板８を折目線１２に沿って第２側板９の内面側に折り返し、第４側板１１を折目線１４に沿って第３側板１０の内面側に折り返す。これによって接着板１６に重合する第４側板１１の一部を接着剤を介して接着し、強固に連結させる。同時に、第１取っ手板１７と第２取っ手板３４を接着して張り合わせる。更に、第１取っ手板１７の一方の貼付片２１を第２側板９の上方の貼付固定部４７に接着剤を介して張り合わせ、第１取っ手板１７の他方の貼付片２０を第２取っ手板３４の一方の貼付片３６に接着剤を介して張り合わせる。これにより、取っ手部３が形成され、第１取っ手板１７の取っ手穴形成部１８と第２取っ手板３４の取っ手穴形成部３５とが合致して取っ手穴５が形成される。そして、第１取っ手板１７の他方の貼付片２０を挟むようにして、第２取っ手板３４の貼付片３６に第４側板１１の上方の貼付固定片５１を接着剤を介して張り合わせる。
【００２４】
一方、胴部２の形成に先立って、各底フラップ５４，５６，５８，６０を胴部２の内面側に折り返しておくと共に、第１底フラップ５４の揺動片６３と第３底フラップ５８の揺動片６５とを各折畳線６２，６４に沿って外側方向に折返しておき、第４底フラップ６０の外面側に、第３底フラップ５８の揺動片６５の内面側を接着し、第３底フラップ５８の外面側に重なる第２底フラップ５６の外面側に、第１底フラップ５４の揺動片６３の内面側を接着する。
【００２５】
このように各部を接着連結した後、胴部２を四角筒状に広げると、胴部２の上方においては、各仕切り４が第１側板８、第３側板１０、第１取っ手板１７、及び第２取っ手板３４から遊離して被収納物を収納する形状に胴部２を区画し、同時に、第１取っ手板１７と第２取っ手板３４とが一体に張り合わされた状態で、胴部２の開放された上部を跨るようにして形成される。一方、胴部２を四角筒状に広げるときに、各底フラップ５４，５６，５８，６０が水平に揺動し、各折畳線６２，６４が延びて、図３に示すように、平坦な底部６１が形成される。このとき、第３底フラップ５８は、底部６１の形状に略対応しており、底部６１を形成したときに、互いに接着された第１底フラップ５４と第２底フラップ５６とによって下方から支えられることにより、被収納物の重量が重くても底抜けを防止して被収納物を強固に支えることができる。
【００２６】
また、本実施形態の紙製キャリングケース１においては、図２に示すように、第１取っ手板１７の取っ手穴形成部１８と第２取っ手板３４の取っ手穴形成部３５とが共に下方に向かって次第に拡開する形状に形成され、この形状によって取っ手穴５が形成されている。即ち、取っ手穴５は、図５に把持補助片６を水平に折り曲げた状態で示すように、縦方向に延びる一対の側内縁６６，６７が下方に向かって次第に離反するように傾斜している。これによって、取っ手穴５に手指を通して持ち上げたときに横方向に延びる上内縁６８から取っ手部３の上方に向かって付与される引っ張り荷重が、取っ手穴５の両側に沿って分散され、取っ手穴５の上部に位置する取っ手部３の一部が破断するといった事態を防止することができる。
【００２７】
また、図５に示すように、本実施形態における取っ手穴５は、その縦方向に延びる上下の内縁６８，６９と横方向に延びる両側内縁６６，６７とが夫々交わる部分７０，７１，７２，７３が円弧状に連続して形成されている。これによって、取っ手穴５の上内縁６８と両側内縁６６，６７とが互い交わる部分７０，７１からの破断が確実に防止でき、取っ手部３の強度を飛躍的に向上させることができる。
【００２８】
また、本実施形態の紙製キャリングケース１は、Ｇフルートの薄手段ボール製の板紙７によって形成されているので、例えば、Ｇフルート以外の厚手段ボール製の板紙を用いた場合に比べて前記胴部２や取っ手部３、或いは各底フラップ５４，５６，５８，６０を折り曲げて形成するときの曲げ歪が小さくなり、精度良く紙製キャリングケース１を形成することができる。また、Ｇフルートの段ボール製の板紙７を採用したことにより、紙厚寸法が薄くても高い縦横圧縮強度をえることができる。なお、Ｇフルート以外の板紙であっても、Ｇフルートと同等或いはそれ以上の強度を備えるものであれば、本考案の紙製キャリングケースに好適に採用できることは勿論である。
【図面の簡単な説明】
【００２９】
【図１】本考案の一実施形態の紙製キャリングケースの外観を示す斜視図。
【図２】本実施形態の紙製キャリングケースの展開図。
【図３】本実施形態の紙製キャリングケースの上半部を切除して底部を示す平面図。
【図４】本実施形態の紙製キャリングケースの底面図。
【図５】本実施形態の紙製キャリングケースにおける取っ手穴を示す説明図。
【符号の説明】
【００３０】
１…紙製キャリングケース、２…胴部、３…取っ手部、５…取っ手穴、７…板紙、８…第１側板（側板）、９…第２側板（側板）、１０…第３側板（側板）、１１…第４側板（側板）、５４…第１底フラップ（底フラップ）、５６…第２底フラップ（底フラップ）、５８…第３底フラップ（底フラップ）、６０…第４底フラップ（底フラップ）、６１…底部。
【図１】
0003129447.tif 000003
【図２】
0003129447.tif 000004
【図３】
0003129447.tif 000005
【図４】
0003129447.tif 000006
【図５】
0003129447.tif 000007